(57)【要約】一体型フックを有する可変断面のアーチワイヤが開示される。本発明による一体型フックを有する可変断面のアーチワイヤは、患者の歯牙のセットアップモデルに対応してオーダーメードで製作されたアーチワイヤボディ及び、前記アーチワイヤボディの一側に突出して形成されるフックとを備える。この時、前記フックは、前記アーチワイヤボディと一体で形成され、前記アーチワイヤボディは少なくとも一部区間の断面が他区間の断面と異なる構造を有する。【選択図】図４【特許請求の範囲】
【請求項１】
患者の歯牙のセットアップモデルに対応してオーダーメードで製作されたアーチワイヤボディ及び、前記アーチワイヤボディの一側に突出して形成されるフックとを備え、
前記フックは前記アーチワイヤボディと一体で形成され、
前記アーチワイヤボディは、少なくとも一部区間の断面が他区間の断面と異なることを特徴とする、
一体型フックを有する可変断面のアーチワイヤ。
【請求項２】
前記フックの縦長は、ブラケットスロットの縦長と同じ、またはそれより小さいことを特徴とする請求項１に記載の一体型フックを有する可変断面のアーチワイヤ。
【請求項３】
前記アーチワイヤボディのインターブラケット区間は、ブラケットスロット結紮部位に比べて断面積が小さいことを特徴とする請求項１に記載の一体型フックを有する可変断面のアーチワイヤ。
【請求項４】
前記フックから所定の距離以内に形成されたループを更に備え、前記ループは、前記アーチワイヤボディと一体で形成されることを特徴とする請求項１に記載の一体型フックを有する可変断面のアーチワイヤ。
【請求項５】
板材を成形することで同一平面上に配列されるループ、フック及び、アーチワイヤボディを獲得し、前記ループを所定角度折り曲げることにより製造されることを特徴とする請求項４に記載の一体型フックを有する可変断面のアーチワイヤ。
【請求項６】
前記アーチワイヤボディの臼歯部側ワイヤ区間の断面積が前歯部側ワイヤ区間の断面積より大きいことを特徴とする請求項４に記載の一体型フックを有する可変断面のアーチワイヤ。
【請求項７】
前記ループの断面積は、前記患者の歯牙のセットアップモデルに対応して可変的に決定されることを特徴とする請求項４に記載の一体型フックを有する可変断面のアーチワイヤ。
【請求項８】
ブラケットスロット結紮部位に当該スロットから更に突出される形状で備えられるストップを更に備え、前記ストップは、前記アーチワイヤボディと一体で形成されることを特徴とする請求項４に記載の一体型フックを有する可変断面のアーチワイヤ。
【請求項９】
Ｔｉ６Ａ１４Ｖ−ＥＬＩ素材で製造されたことを特徴とする請求項１に記載の一体型フックを有する可変断面のアーチワイヤ。
【発明の詳細な説明】
【技術分野】
【０００１】
本発明は、歯列矯正用アーチワイヤに関するものである。さらに具体的にはループテクニックまたはスライディングテクニックに使用できる個人オーダーメイド型アーチワイヤに関するものである。
【背景技術】
【０００２】
歯列矯正は、不規則に配置された歯牙をそろえて矯正する施術であって、一般的に歯牙にブラケットを取り付け、ブラケットのスロットに矯正用弧線（ａｒｃｈｗｉｒｅ）を結紮した後、弧線の復元力によって歯牙を牽引したり、トークコントロールをするなどの過程を経て進む。
【０００３】
一方、６前歯の牽引のための方法としてループテクニックとスライディングテクニックが一般的に使用される。
【０００４】
ループテクニックは、アーチワイヤを折り曲げてループを作った後、アーチワイヤをブラケットに結紮させ、フックを結紮ワイヤで結紮してループをアクティベーションすることで、牽引力を発現させる手法である。
【０００５】
図１は、従来技術によるループ形成過程を説明する図面である。
【０００６】
図１に示された通り、装備を用いてワイヤ１の一部区間を折り曲げることで、ループ１′を形成する。そして、必要な場合、ループ１′の後方にワイヤフック２を装着する。
【０００７】
そして、図２に示された通り、患者の歯牙に取り付けられたブラケット４にワイヤを結紮する。
【０００８】
そして、フック２を別途の結紮ワイヤ３で結紮する。
【０００９】
図２の（ａ）は、ループ１′のアクティベーションが始まる前の様子を説明し、図２の（ｂ）は、歯牙の牽引が行われた状態を説明する。
【００１０】
アクティベーションが完了すれば、ループ１′が両側ブラケットの中央に位置しなければならないが、実際には２ｍｍほど歯牙の牽引が行われると、フック２がブラケット４にかかってこれ以上牽引が行われない状況が発生する。これによって既装着されたフック２を除去して後方に新たにフック２を装着しなければならない面倒さがある。
【００１１】
図２の（ｃ）は、このようにフック２を移動して取り付けてから再びアクティベーションを開始する様子を説明する。
【００１２】
一方、スライディングテクニックを用いた歯牙の牽引時にもワイヤフック２がよく使用される。
【００１３】
スライディングテクニックは、矯正用ワイヤをブラケットに結紮させ、フックにクローズドコイルスプリングやエラスティックパワーチェーンなどをかけて牽引力を発生させる手法である。
【００１４】
図３は、従来技術によるワイヤフック装着過程を説明する図面である。
【００１５】
図３に示された通り、アーチワイヤの所定位置にフックを装着し、クローズドコイルスプリング３′などをかけて牽引力を発生させるものである。
【００１６】
しかし、フックを手作業で装着しなければならないため精度が落ち、何よりフックの下部がワイヤに締結される構造であるので、体積が相当あるという短所がある。
【００１７】
特に、空間が狭小な舌側矯正では、このような短所が大きく作用する。
【発明の概要】
【発明が解決しようとする課題】
【００１８】
本発明は、前記のような従来技術の問題点を解消するために開発されたものであって、本発明の目的はフックが一体で備えられたアーチワイヤを提供することにある。
【００１９】
特に、区間別断面構造を異なるように設計することで、歯牙牽引用ワイヤとしての適合性を極大化したアーチワイヤの提供に目的がある。
【００２０】
ひいては、患者の歯牙のセットアップモデルから事前に把握されたブラケット取付位置と抜歯空間の座標を用いてループとフックの厚さ、長さ、種類を決定することにより、個人オーダーメイド型で製作されるアーチワイヤの提供にその目的がある。
【課題を解決するための手段】
【００２１】
前記のような目的を達成するために、本発明による一体型フックを有する可変断面のアーチワイヤは、患者の歯牙のセットアップモデルに対応してオーダーメードで製作されたアーチワイヤボディ及び、前記アーチワイヤボディの一側に突出して形成されるフックとを備える。
【００２２】
一方、前記フックは、前記アーチワイヤボディと一体で形成される。
【００２３】
前記アーチワイヤボディは、少なくとも一部区間の断面が他区間の断面と異なる構造を有する。
【００２４】
この時、前記フックの幅は、ブラケットスロットの幅と同じ、またはそれより小さい方が好ましい。
【００２５】
一方、アーチワイヤボディに更にループが一体で形成できる。
【００２６】
ループの断面積は、前記患者の歯牙のセットアップモデルに対応して可変的に決定され、好ましくはループとフックの離隔距離は２ｍｍを超えてはならない。
【００２７】
一方、このような本発明による一体型フックを有する可変断面のアーチワイヤは、患者の歯牙のセットアップモデルからブラケット取付位置を把握し、これからアーチワイヤの形状を獲得した後、板材を成形する。
【００２８】
成形結果、ループ、フック及び、アーチワイヤボディが同一平面上に配列されるが、この時、ループを患者の口腔状態によって７０°乃至９０°程度折り曲げることによって、個人オーダーメイド型可変断面のアーチワイヤが製作される。
【００２９】
歯牙の牽引のためのリトラクションワイヤとしての適合性を向上させるために、アーチワイヤボディの臼歯部側ワイヤ区間の断面積を前歯部側ワイヤ区間の断面積より大きく設計することができる。
【００３０】
また、アーチワイヤボディのインターブラケット区間は、ブラケットスロット結紮部位に比べて断面積を小さく設計することができる。
【００３１】
一方、アーチワイヤボディに一体で更にストップが形成できる。
【００３２】
ストップは、ワイヤボディがブラケットスロットに結紮されることによって、ブラケットのスロットから更に突出される形状を有することができる。
【００３３】
スロットから突出される部位は、好ましくはＴ字形状を有することができ、中切歯、側切歯または前歯ブラケットスロットから突出される一つまたはそれ以上のストップが同時に備えられる。
【００３４】
このようなストップは、結紮ワイヤにより固定され、アーチワイヤボディがブラケットのスロット内で左右に移動することを制限する役割をする。
【００３５】
一方、好ましくは、本発明による一体型フックを有する可変断面のアーチワイヤは、Ｔｉ６Ａ１４Ｖ−ＥＬＩ素材で製造される。
【発明の効果】
【００３６】
以上のような本発明によると、区間別に断面積や断面の形状を異なるように設計することでループやフック、またはストップを一体に備えるアーチワイヤの提供が可能となる。
【００３７】
以上のような本発明によると、患者の歯牙のセットアップモデルから事前に把握されたブラケット取付位置と抜歯空間の座標を用いてループとフックの厚さ、長さ、種類を簡単に決定するだけで、個人オーダーメイド型のアーチワイヤを製作することができる。
【００３８】
ひいては、ループテクニック適用時、フックがブラケットにかかって歯牙牽引が不可能になる状況を避けることができ、ワイヤがスロットから抜けることを防ぐなどの効果がある。
【図面の簡単な説明】
【００３９】
【図１】従来技術によるループ形成過程を説明する図面である。
【図２】従来技術によるループアクティベーション過程と問題点を説明する図面である。
【図３】従来技術によるワイヤフック装着過程を説明する図面である。
【図４】本発明の一実施例による一体型フックを有する可変断面のアーチワイヤの外形を示す図面である。
【図５】図４に示されたアーチワイヤのループとフックの構造を拡大図示した図面である。
【図６】図４に示されたアーチワイヤの製造過程と断面構造を説明する図面である。
【図７】図４に示されたアーチワイヤがブラケットのスロットに結紮された形態を説明する図面である。
【図８】本発明への適用可能なループと適用不可能なループを例示する図面である。
【図９】本発明の他の実施例による一体型フックを有する可変断面のアーチワイヤの構造を説明する図面である。
【図１０】図９に示されたアーチワイヤがブラケットのスロットに結紮された形態を説明する図面である。
【図１１】フックの変形例を例示した図面である。
【発明を実施するための形態】
【００４０】
以下では、本発明の好ましい実施例及び、添付の図面を参照して本発明を詳しく説明し、図面の同一参照符号は同一構成要素を示すことを前提して説明する。
【００４１】
発明の詳細な説明、または特許請求の範囲のいずれか一つの構成要素が他の構成要素を「含む」とする時、これは特に反対する記載がない限り、当該構成要素だけで構成されるものと限って解釈せず、他の構成要素を更に含むことができると理解しなければならない。
【００４２】
本発明による一体型フックを有する可変断面のアーチワイヤは、従来技術による矯正用ワイヤとは違って、区間によって互いに異なった断面の形状を有する。
【００４３】
例えば、インターブラケット（ｉｎｔｅｒ−ｂｒａｃｋｅｔ）区間の断面積を小さくしたり、一定区間の断面に変化を与えることで、ループ、フックまたはストップを形成することができる。
【００４４】
更に、前歯部と臼歯部の区間を分けて断面積を異にすることもできる。
【００４５】
そのためには、ブラケット結紮部位の位置を事前に決定しなければならないので、本発明は、個人オーダーメイド型矯正器具に適用することができ、個人オーダーメイド型ブラケット（ｆｕｌｌｙ  ｃｕｓｔｏｍｉｚｅｄ  ｂｒａｃｋｅｔ）に結紮されて使用することが好ましい。
【００４６】
本発明による一体型フックを有する可変断面のアーチワイヤは、アーチワイヤに一体で形成された少なくとも一つのフックを備え、好ましくは、四角形状の断面構造を有する角形ワイヤ（ｒｅｃｔａｎｇｕｌａｒ  ｗｉｒｅ）の形状を維持するが、区間によって断面形状が可変される構造を有する。
【００４７】
以下では、図４乃至図８を参照して、本発明の一実施例による一体型フックを有する可変断面のアーチワイヤの構成を調べてみる。
【００４８】
図４は、本発明の一実施例による一体型フックを有する可変断面のアーチワイヤの外形を示した図面である。
【００４９】
本発明の一実施例は、フックから所定距離以内に更に一体型のループが形成され、ループテクニックに適用することができる。
【００５０】
図４に例示された通り、本発明による一体型フックを有する可変断面のアーチワイヤは、アーチワイヤボディ１１０に一体で形成された一つ以上のループ１３０とフック１２０を有する。
【００５１】
図４の例は、抜歯部位と各歯牙別ブラケット位置などを考慮して、個人オーダーメイド型で製作されたアーチワイヤであって、フック１２０の方向が内側に向かっているのを見て、舌側矯正用アーチワイヤであることが分かる。
【００５２】
フック１２０の方向には制約を与えず、外側を向くように形成することで、頬側矯正用アーチワイヤで使用できることは当然である。
【００５３】
ループ１３０の位置は、患者の抜歯空間の位置によって決定される。
【００５４】
図４の例においては、一対のループ１３０と一対のフック１２０が互いに対向する位置に備えられるが、これは理解のためのものであるだけで、抜歯の有無や位置によって片方のみループ１３０とフック１２０が備えられ、またはその位置が変更されることができる。
【００５５】
好ましくは、ループ１３０は抜歯空間の前方に位置するように形成される。ループがアクティベーションされて歯牙の牽引が行われると抜歯空間が閉じられるようになり、ループ１３０は、両ブラケット４の中央に位置するようになる。
【００５６】
図７は、抜歯後アーチワイヤをブラケットに結紮したときの様子を例示するが、ループ１３０が抜歯空間より前方に位置することを確認することができる。
【００５７】
図５は、図４に示されたアーチワイヤのループとフックの構造を拡大図示した図面である。
【００５８】
図５に示されたように、アーチワイヤボディ１１０は、四角断面構造を有し、フック１２０及び、ループ１３０がアーチワイヤボディ１１０の４面のうち一面から突出して形成されたことを確認することができる。
【００５９】
一方、フック１２０は、アーチワイヤボディ１１０と同一平面上に配列されるが、ループ１３０は上方に向かって７０°乃至９０°程度折り曲げられる。
【００６０】
図６によると、このような本発明の実施例による一体型フックを有する可変断面のアーチワイヤの製造過程を更に明確にすることができる。
【００６１】
図６は、０．１８インチの厚さの平板を成形して製造されたアーチワイヤの形状を示す。
【００６２】
まず、患者の歯牙のセットアップモデルを作り、これを３Ｄデータに変換して各歯牙のブラケットの位置を設定する。
【００６３】
以後、抜歯空間の座標によってループ１３０の位置を決定する。この時、ループ１３０の種類も選択することができる。
【００６４】
図６の例においては、デルタループ（ｄｅｌｔｅ  ｌｏｏｐ）の形で示されているが、以外にも様々な形のループを使用することができる。
【００６５】
図８は、本発明に適用できるループと適用できないループを例示的に並べる。
【００６６】
図８の（ａ）は、本発明に適用できるループであって、左側から順にブルループ（Ｂｕｌｌ  Ｌｏｏｐ）、オープンバーチカルループ（Ｏｐｅｎ  Ｖｅｒｔｉｃａｌ  Ｌｏｏｐ）、オメガループ（Ｏｍｅｇａ  Ｌｏｏｐ）、キーホールループ（Ｋｅｙ  Ｈｏｌｅ  Ｌｏｏｐ）、そして図４乃至図６に示されたデルタループ（Ｄｅｌｔａ  Ｌｏｏｐ）である。
【００６７】
ループの種類が決定されると、１ｍｍ乃至１．５ｍｍアクティベーションの時２５０ｇｆ乃至３００ｇｆの牽引力が認可されるようにループの長さ、幅、厚さを調節することができる。
【００６８】
長さ、幅、厚さの調節は専用ソフトウェアを用いたシミュレーションを通じて患者の口腔内の空間を勘案して決定することができる。
【００６９】
空間が狭くて十分な力を得られなければ、ループの厚さを厚くして補償することができる。  
【００７０】
従来は、引抜方式で製造されたワイヤを手作業により折り曲げてワイヤを作り使用したので、ループの厚さを調節することが不可能であったが、本発明によると、ループの幅をそのまま置いたままにループの長さや厚さを調節することによって牽引力を確保することが可能である。
【００７１】
一方、ループ１３０の種類、長さ、厚さが設定されると、フック１２０の位置と種類を設定する。好ましくは、フック１２０は、その幅がブラケット４スロットの幅と同じ、またはそれより小さく設定する。
【００７２】
好ましくは、フック１２０とループ１３０の間隔は、２ｍｍ以内とする。
【００７３】
通常、ブラケット間の距離は、４ｍｍ程度であるのでその半分を超えないように設計する。
【００７４】
フック１２０の方向は舌側矯正であるか、または頬側矯正であるかによって変更される場合があり、ループ１３０を内側に折り曲げるか、又は反対側方向に折り曲げるかによって変更されることができる。
【００７５】
このように、患者のセットアップモデルに基づいてブラケットの位置が決定されると、これに対応してアーチワイヤボディ１１０の形状が導出される。そして、抜歯の可否と位置によってアーチワイヤボディ１１０上のループ１３０とフック１２０の位置、大きさ、種類を決定した上で、放電加工またはレーザー加工などの工法により図６に示されたような形状で平板を成形する。
【００７６】
以後、図５に示された通り、ループ１３０を折り曲げることで、図４に示されたように、個人オーダーメイド型アーチワイヤが製造される。
【００７７】
このように、本発明による一体型フックを有する可変断面のアーチワイヤは、区間によって可変的な断面形状を有するのみならず、アーチワイヤに一体で形成されるフックとループ、ストップを有するため、引抜や押出では製造が不可能になり、放電加工またはレーザー加工などの工法で製造されることを前提に設計される。
【００７８】
よって、材質も製造工程を考慮する方が好ましい。
【００７９】
歯列矯正用ワイヤに使用された既存の素材の中ではＴＭＡ（Ｔｉｔａｎｉｕｍ  Ｍｏｌｙｂｄｅｎｕｍ  Ａｌｌｏｙ）が他の素材に比べて適したものと判断されるが、歯牙の牽引時摩擦力が高い点が短所として挙げられる。
【００８０】
摩擦力の問題を解消しながら同時に板材の成型が可能な材質でチタン合金の一種であるＴｉ６Ａ１４Ｖ−ＥＬＩが使用できる。
【００８１】
Ｔｉ６Ａ１４Ｖ−ＥＬＩは、従来は歯列矯正用ワイヤの素材として使用されなかったが、人体適合性が高く、且つ加工性などにより、本発明による一体型フックを有する可変断面のアーチワイヤの素材に適合したものと判明された。
【００８２】
Ｔｉ６Ａ１４Ｖ−ＥＬＩ材質の剛性度（Ｓｔｉｆｆｎｅｓｓ）は、ステンレススチール（Ｓｔａｎｌｅｓｓ  Ｓｔｅｅｌ）の剛性度を１と見て、０．５６程度であり、０．１７であるニチノール（Ｎｉｔｈｎｏｌ）とステンレススチールの中間に該当する。
【００８３】
以上のように、本発明による一体型フックを有する可変断面のアーチワイヤは、好ましくは一定の厚さ（例えば、０．０１８インチ）を有するＴｉ６Ａ１４Ｖ−ＥＬＩなどの金属板材を成形して製造されることができ、手作業でベンディングしてループ１３０を作ることではないので、重なる形のループは適用が不可能である。
【００８４】
例えば、図８の（ｂ）に示されたようなループの種類は、適用が不可能である。
【００８５】
図８の（ｂ）は、左側からクローズドへリックスループ（Ｃｌｏｓｅｄ  Ｈｅｌｉｘ  Ｌｏｏｐ）、ダブルデルタクロージングループ（Ｄｏｕｂｌｅ  Ｄｅｌｔａ  Ｃｌｏｓｉｎｇ  Ｌｏｏｐ）、クローズドホリゾンタルループ（Ｃｌｏｓｅｄ  Ｈｏｒｉｚｏｎｔａｌ  Ｌｏｏｐ）、クローズドティーループ（Ｃｌｏｓｅｄ  Ｔ  Ｌｏｏｐ）を示す。
【００８６】
このほか、互いに重なっていないため板材成形を通じて具現が可能なループであれば本発明による一体型フックを有する可変断面のアーチワイヤに適用ができるが、重なる区間が存在すれば適用ができない。
【００８７】
図７は、本発明の一実施例によるアーチワイヤがブラケットのスロットに結紮されてアクティベーションされた様子を例示する。
【００８８】
図７は、本発明による一体型フックを有する可変断面のアーチワイヤがブラケット４に結紮された様子を例示するが、ループ１３０が抜歯部位の前方に位置することを確認することができる。
【００８９】
図７に拡大図示されているように、アーチワイヤボディ１１０は、縦長がブラケット４スロットと同一の０．０１８インチ、横長はブラケット４スロットサイズと同じ、またはこれよりちょっとだけ大きい可能性がある。
【００９０】
例えば、図６に示された通り、区間によって０．０２９または０．０３５の横長を有することができる。
【００９１】
フック１２０も、縦長がブラケット４スロットと同一の０．０１８インチであるので、前方歯牙の牽引が行われる過程でフック１２０が大臼歯ブラケット４のスロットにかからない。
【００９２】
フック１２０とループ１３０を十分小さく形成することによって１〜２ｍｍ移動時毎にワイヤフックを移動装着しなければならない従来の問題点が解消される。
【００９３】
一方、本発明による一体型フックを有する可変断面のアーチワイヤは、図７に示されたようにアーチワイヤボディ１１０の一側に突出して形成されるストップ１４０を更に備えることができる。
【００９４】
ストップ１４０は、アーチワイヤボディ１１０がブラケットスロットに結紮されることによって、ブラケットのスロットから更に突出される形状を有することができる。
【００９５】
スロットから突出される部位は、好ましくは図７に示された通りＴ字形状を有することができる。
【００９６】
このようなストップ１４０は、中切歯、側切歯、又は前歯ブラケットスロットの位置に備えられ、当該スロットから更に突出される形態で設けることができ、一つまたはそれ以上のストップが同時に備えられる。
【００９７】
一方、ストップ１４０は、図７に示されたように結紮ワイヤによって固定され、アーチワイヤボディ１１０がブラケットのスロット内で左右に移動することを制限する役割をする。
【００９８】
このようなストップ１４０も、アーチワイヤボディ１１０と一体で形成されることはもちろんである。
【００９９】
再び図６に戻り、アーチワイヤとしての適合性を向上させるための断面設計に関して敷衍して説明する。
【０１００】
図４乃至図７に示されたアーチワイヤは、舌側矯正用に合わせてオーダーメードで製作された形態である。狭小な空間の制約を有する舌側矯正時牽引力を維持しながらも同時にワイヤが適当な弾性を有するようにするためにブラケット４スロットとの結紮部位は、ぎっしりと結紮ができるようにスロットと同一サイズ（例えば、縦０．０１８インチ、横０．０２５インチ）にするものの、ブラケットの間の区間の断面積は、これより小さく設計することができる。
【０１０１】
例えば、縦長を０．０１８インチに維持する一方、インターブラケット区間の横長を０．０１８インチにすることができる。
【０１０２】
患者のセットアップモデルを通じてブラケットの結紮位置を事前に把握することができるので、このような設計が可能になる。
【０１０３】
一方、アーチワイヤボディ１１０は、ループ１３０を基準に前歯部側ワイヤ区間１１１と臼歯部側ワイヤ区間１１２の断面積を異にすることができる。
【０１０４】
例えば、図６に示された通り、縦長を０．０１８インチで固定したまま、前歯部側ワイヤ区間１１１の横長を０．０２９インチに、臼歯部側ワイヤ区間１１２の横長を０．０３５インチにすることで、臼歯部側ワイヤ区間１１２の断面積を更に大きくすることができる。
【０１０５】
ループ１３０の後方部分が長くなると力を支えきれずに曲がる恐れがある。
【０１０６】
ループが形成されたワイヤの荷重ひずみ率（Ｌｏａｄ−ｄｅｆｌｅｃｔｉｏｎ  ｒａｔｅ）は、長さの立方に反比例すると知られている。
【０１０７】
ループ１３０の前方に該当する前歯部側ワイヤ区間１１２より後方の臼歯部側ワイヤ区間１１２の断面積を大きく設計することで、ループ１３０の後方部分が曲がることを防ぐことが可能になる。
【０１０８】
以下では、図９乃至図１１を参照して、本発明の他の実施例による一体型フックを有する可変断面のアーチワイヤの構成を調べてみる。
【０１０９】
本実施例は、一体型のフックがアーチワイヤに一体で備えられ、スライディングテクニックに適用されることができる。
【０１１０】
図９は、本発明の他の実施例による一体型フックを有する可変断面のアーチワイヤの構造を説明する図面である。
【０１１１】
図９に示された通り、アーチワイヤボディ１１０の一側にフック１２０が一体で備えられる。
【０１１２】
製造方法や材質などは前記で調べた通りである。
【０１１３】
牽引ワイヤとしての適合性を向上させるために、アーチワイヤボディ１１０を前歯部区間と臼歯部区間に分けることができる。
【０１１４】
患者の歯牙のセットアップモデルからブラケットの取付位置を事前に把握することができるので、オーダーメードでアーチワイヤを製造するのにおいて、アーチワイヤボディ１１０のうち、臼歯部ブラケットに結紮される部位と前歯部ブラケットに結紮される部位を分ける。
【０１１５】
そして、前歯部側ワイヤ区間１１１の断面積より臼歯部側ワイヤ区間１１２の断面積を大きく設定することができる。
【０１１６】
このようにすることで、前方歯牙の後方牽引時に十分な牽引力が認可できることはもちろん、前歯部側ワイヤ区間１１１の弾性を維持することができる。
【０１１７】
図１０は、図９に示されたアーチワイヤがブラケットのスロットに結紮された形態を説明する図面である。
【０１１８】
フック１２０の位置は、図７に示された実施例とは違って、上方に上がっている。フック１２０の角度や位置は多様に選択することができるが、図１０はスライディングテクニックに使用される一般的な形態に近いフック１２０を具現した例に該当する。
【０１１９】
一方、図１１はフックの変形例を示した図面である。
【０１２０】
フック１２０は、結紮ワイヤで結紮した後締めることで、ループ１３０をアクティベーションするためのものであって、その形や大きさには特別な制限がない
【０１２１】
図１１に示された通り、多様な形態のフックが使用できる。
【０１２２】
特に、スライディングテクニックで使用するときには、図１１の（ｄ）に示されたように折り曲げることで、口腔の狭小な空間内で異物感や不便さが最小化されるようにすることができる。
【０１２３】
以上、いくつかの実施例を通じて、本発明の技術的思想を調べてみた。
【０１２４】
本発明の属する技術分野における通常の知識を有する者が本発明の記載事項から前記調べてみた実施例を多様に変形したり、変更できることは自明である。  
【０１２５】
また、たとえ明示的に図示されたり、説明されていないとしても本発明の属する技術分野における通常の知識を有する者が本発明の記載事項から本発明による技術的思想を含む様々な形態の変形ができることは自明であり、これは依然として本発明の権利範囲に属する。
添付する図面を参照して説明された前記の実施例は本発明を説明するための目的で記述されたものであり、本発明の権利範囲はこれらの実施例に限られない。
【符号の説明】
【０１２６】
１  ワイヤ
１′  ループ
２  ワイヤフック
３  結紮ワイヤ
３′  クローズドコイルスプリング
４  ブラケット
１１０  アーチワイヤボディ
１１１  前歯部側ワイヤ区間
１１２  臼歯部側ワイヤ区間
１２０  フック
１３０  ループ
１４０  ストップ
【図１】
2018519088.tif 000002
【図２】
2018519088.tif 000003
【図３】
2018519088.tif 000004
【図４】
2018519088.tif 000005
【図５】
2018519088.tif 000006
【図６】
2018519088.tif 000007
【図７】
2018519088.tif 000008
【図８】
2018519088.tif 000009
【図９】
2018519088.tif 000010
【図１０】
2018519088.tif 000011
【図１１】
2018519088.tif 000012
【国際調査報告】
2018519088.tif 000013
2018519088.tif 000014
2018519088.tif 000015
2018519088.tif 000016